(57)【特許請求の範囲】
【請求項１】
給水管やエアコン用冷媒管等の配管材のわん曲配管部において、該配管材を内部に収容して保護する配管材のわん曲部保護カバーであって、
わん曲変形可能な蛇腹部と、該蛇腹部の両端部に設けられ、他の保護カバーの接続口に内挿されて接続される接続部とを備えて成り、
前記接続部の外面には、前記接続口に接続された接続部が抜け外れるのを防止するため、前記他の保護カバーの接続口に設けられる被係合部と係合する係合部が設けられ、
前記接続部には、前記蛇腹部の変形により前記係合部への被係合部の係合が解除されるのを防止するため、前記蛇腹部のわん曲変形に追随して変形しないように内部に収容された配管材の外面に当接可能な横断面形状により形成される当接部が設けられ、
前記接続部における前記当接部を除く部分は、内部に収容された配管材が所定の隙間を有して収容可能な大きさになっていることを特徴とする配管材のわん曲部保護カバー。
【請求項２】
前記接続部には、その外面に他の保護カバーの蓋体が嵌着される蓋体嵌着部が設けられていることを特徴とする請求項１に記載の配管材のわん曲部保護カバー。
【請求項３】
前記蛇腹部及び前記接続部の底面側には、壁面に密着可能とすべく平面状になっていることを特徴とする請求項１又は２に記載の配管材のわん曲部保護カバー。
【請求項４】
前記接続部の底面側には、接続される他の保護カバーの基台に嵌着されて、幅方向の位置決めを行う下方突出部が設けられていることを特徴とする請求項１ないし３のいずれかに記載の配管材のわん曲部保護カバー。
【発明の詳細な説明】
【０００１】
【発明の属する技術分野】
本発明は、配管材のわん曲部が露出することを防止するための配管材のわん曲部保護カバーに関するものである。
【０００２】
【従来の技術】
例えば、給水管やエアコン用冷媒管等の配管材は、壁面の配管経路に沿って配設される保護カバー（ダクト）内に収容されて保護される（実公平７−５３０３７号、実開昭５６−１５３７７０号）。また、任意形状のわん曲配管部における配管材のわん曲部を保護するためのわん曲部保護カバーとして、図１６及び図１７に示されるものや、実開昭５６−１５６３１８号公報に開示されるものがある。
【０００３】
従来のわん曲部保護カバーＣ’について説明する。図１６及び図１７に示されるように、このわん曲部保護カバーＣ’は、ポリエチレン等の合成樹脂がブロー成形により、給水管Ｐを挿通可能な薄肉の筒状に形成されたものであり、わん曲可能な蛇腹部５１の両端部に、接続部（蓋体嵌着部）５２が設けられた構成である。そして、予め、壁面Ｗに仮固定されている付属カバーＦ’の基台５３に対するわん曲部保護カバーＣ’の長手方向（わん曲部保護カバーＣ’と直状部保護カバーＳの接続方向）及びその幅方向の位置決めを行って、該基台５３に対してわん曲部保護カバーＣ’を仮接続させる。この状態において、付属カバーＦ’の基台５３に対して蓋体５４を嵌着させることにより、わん曲部保護カバーＣ’の接続部５２の外側に前記蓋体５４を嵌着させて、付属カバーＦ’に対してわん曲部保護カバーＣ’を接続していた。
【０００４】
即ち、従来のわん曲部保護カバーＣ’の接続構造は、その接続部５２の外側に付属カバーＦ’の蓋体５４を嵌着させることのみであるため、施工中、或いは施工後において前記蛇腹部５１を変形させると、その変形が両端の接続部（蓋体嵌着部）５２に及んで、上記嵌着が解除され、そのため、わん曲部保護カバーＣ’の接続部５２が付属カバーＦ’から簡単に抜け外れて、収容された給水管Ｐが露出されるという不具合があった。
【０００５】
【発明が解決しようとする課題】
本発明は、上記した不具合に鑑み、他の保護カバーとの接続を確実に行えるわん曲部保護カバーを提供し、わん曲配管部における配管材の露出を防止することを課題としている。
【０００６】
【課題を解決するための手段】
上記課題を解決するための請求項１の発明は、給水管やエアコン用冷媒管等の配管材のわん曲配管部において、該配管材を内部に収容して保護する配管材のわん曲部保護カバーであって、わん曲変形可能な蛇腹部と、該蛇腹部の両端部に設けられ、他の保護カバーの接続口に内挿されて接続される接続部とを備えて成り、前記接続部の外面には、前記接続口に接続された接続部が抜け外れるのを防止するため、前記他の保護カバーの接続口に設けられる被係合部と係合する係合部が設けられ、前記接続部には、前記蛇腹部の変形により前記係合部への被係合部の係合が解除されるのを防止するため、前記蛇腹部のわん曲変形に追随して変形しないように内部に収容された配管材の外面に当接可能な横断面形状により形成される当接部が設けられ、前記接続部における前記当接部を除く部分は、内部に収容された配管材が所定の隙間を有して収容可能な大きさになっていることを特徴としている。
請求項１の発明によれば、わん曲部保護カバーの接続部は、蛇腹部のわん曲変形に追随して変形しない構造になっていて、前記接続部に設けられた係合部が他の保護カバーの接続口に設けられた被係合部に係合され、しかもその接続部に設けられた当接部の内面が、この部分に収容された配管材の外面に当接して、該接続部が、前記配管材の半径方向に移動することが規制されているため、上記係合が解除されにくい構造となっている。この結果、施工中、或いは施工後に、わん曲部保護カバーの蛇腹部がわん曲されても、その変形が接続部にそのまま及ばなくなる。よって、わん曲部保護カバーの蛇腹部がわん曲変形されたり、わん曲部保護カバーに引張り力等の外力が作用しても、該わん曲部保護カバーの接続部は、他の保護カバーの接続口から簡単には抜け外れない。
【０００７】
また、請求項２の発明は、請求項１の発明において、前記接続部には、その外面に他の保護カバーの蓋体が嵌着される蓋体嵌着部が設けられているために、前記蓋体嵌着部に嵌着された蓋体により、わん曲部保護カバーの両端の接続部の移動が規制されて、該接続部が他の保護カバーの接続口から一層に抜け外れにくくなる。
また、請求項３の発明は、請求項１又は２の発明において、前記蛇腹部及び前記接続部の底面側には、壁面に密着可能とすべく平面状になっているために、壁面に対する蛇腹部及び接続部の配置状態が安定する。
また、請求項４の発明は、請求項１ないし３のいずれかの発明において、前記接続部の底面側には、接続される他の保護カバーの基台に嵌着されて、幅方向の位置決めを行う下方突出部が設けられているために、他の保護カバーに対して幅方向にずれなくなる。
【０００８】
【発明の実施の形態】
以下、実施例を挙げて本発明を更に詳細に説明する。図１は本発明の第１実施例のわん曲部保護カバーＣ1 が、段差部Ｄを有する壁面Ｗに取付けられた状態の斜視図、図２は同様の状態の平面図である。図１及び図２に示されるように、壁面Ｗにおいて段差部Ｄが設けられた部分（わん曲配管部）に、前記段差部Ｄに対応して略Ｓ字状にわん曲された給水管Ｐが配管されている。この給水管Ｐのわん曲部は、本発明の第１実施例のわん曲部保護カバーＣ1 に覆われて保護されていて、同じく直状部は、直状部保護カバーＳに覆われて保護されている。わん曲部保護カバーＣ1 と直状部保護カバーＳの接続箇所Ｒ1,Ｒ2 には、付属カバーＦが取付けられていて、両接続箇所Ｒ1,Ｒ2 における給水管Ｐの露出部分を保護している。
【０００９】
最初に、第１実施例のわん曲部保護カバーＣ1 について説明する。図３はわん曲部保護カバーＣ1 の正面図、図４は同じく側面図、図５は接続箇所Ｒ1 の正面断面図、図６は図５のＸ1 −Ｘ1 線断面図である。図３及び図４に示されるように、本実施例のわん曲部保護カバーＣ1 は、従来のものと同様に、ポリエチレン等の合成樹脂を薄肉の筒状にブロー成形したものであり、わん曲可能な蛇腹部１の両端部に接続部２が設けられた構成である。この接続部２は、その外部に付属カバーＦ（後述）の蓋体１４が嵌着される蓋体嵌着部３と、該蓋体嵌着部３の外側に連続して設けられて、その内部に給水管Ｐを隙間なく収容して、該給水管Ｐの外周面に当接する略円筒状の当接部４とから成る。前記蓋体嵌着部３は、前記付属カバーＦの蓋体１４の横断面形状に対応し、かつその底部が閉塞された横断面形状を有している。該蓋体嵌着部３の内側に連続する前記蛇腹部１の横断面形状は、該蓋体嵌着部３のそれに近似していて、これらの各部分の底面部は、壁面Ｗ等に密着可能にすべく平面状に形成され、蓋体嵌着部３の底面部には、図６に示されるように、使用状態において、前記付属カバーＦの基台１３の凸体１８を上方から覆って該凸体１８を収容させることにより、前記付属カバーＦに対するわん曲部保護カバーＣ1 の幅方向の位置決めを行う凹部３ａが形成されている。このため、前記凹部３ａの深さは、凸体１８の板厚に対応している。
【００１０】
また、前記当接部４は、前記蓋体嵌着部３に対して連設されて、給水管Ｐの外径に対応する内径を有する略円筒状に形成され、その下部には、付属カバーＦの基台１３の上面に載置される下方突出部４ａが一体成形されている。この下方突出部４ａは、図７に示されるように、付属カバーＦの基台１３の一対の側壁部１６の間に嵌合されて、幅方向の位置決めをするためのものである。該下方突出部４ａの下面における前記蓋体嵌着部３との接続部分には、付属カバーＦの基台１３に設けられた係合突条１７に係合される係合溝５が幅方向に設けられている。
【００１１】
上記した略円筒状の当接部４の中心は、横断面視における蛇腹部１及び蓋体嵌着部３のほぼ中央部よりも僅かに上方に位置されていて、その内径は、給水管Ｐの外径よりも僅かに大きい。このため、わん曲部保護カバーＣ1 に挿通され、当接部４の部分に配置された給水管Ｐの外周面の約４分の３の部分が、前記当接部４の内周面４ｂに当接される。これに対して、蓋体嵌着部３の横断面形状は蛇腹部１の横断面形状に近似しているために、蓋体嵌着部３には、給水管Ｐが所定の隙間を有して収容される（図５参照）。
【００１２】
次に、直状部保護カバーＳについて説明する。この直状部保護カバーＳは、図５及び図８に示されるように、基台６と、該基台６に嵌着される蓋体７とから成る。前記基台６の底板部６ａには、給水管Ｐを挟み込んで保持するための一対の壁板部８が、その長手方向に沿って連続的に設けられていると共に、それらの基端部における幅方向の両側には、一対の係合凹部８ａが形成されている。また、基台６の底板部６ａの底面部には、その長手方向に沿って凹溝９が形成されている。この凹溝９は、付属カバーＦの基台１３に設けられた凸体１８に収容されることによって、該直状部保護カバーＳの幅方向の位置決めを行うためのものである。
【００１３】
そして、図８に示されるように、直状部保護カバーＳを構成する蓋体７は、横断面略逆Ｕ字状であり、その開口部分の内周面側には前記係合凹部８ａに嵌まり込むための一対の係合凸部１１が相対向して設けられている。直状部保護カバーＳの基台６が、付属カバーＦの基台１３の凸体１８によって位置決めされた状態で壁面Ｗに取付けられ、該基台６に蓋体７が嵌着されて、該給水管Ｐの直状部が保護される。蓋体７の係合凸部１１が、基台６における一対の係合凹部８ａに係合状態で嵌着されるため、該蓋体７が不用意に外れることはない。なお、図８において、１２は、蓋体７の内周面に取付けられた断熱材である。
【００１４】
次に、図７、図９ないし図１１を参照しながら、付属カバーＦについて説明する。この付属カバーＦは、壁面Ｗに接着テープ等によって仮固定される基台１３と、該基台１３に嵌着される蓋体１４とから構成されている。
【００１５】
最初に、付属カバーＦの基台１３について説明する。この基台１３は、図７及び図１０に示されるように、底板部１３ａの幅方向の両端部に、一対の側壁部１６が前記底板部１３ａの全長に亘って立設された構成である。一対の側壁部１６の基端部の幅方向における両側には、アンダーカット状に係合凹部１６ａが形成されている。一対の側壁部１６どうしの間隔は、わん曲部保護カバーＣ1 の下方突出部４ａの幅に対応しており、わん曲部保護カバーＣ1 の接続部２が付属カバーＦの基台１３に当てがわれた際に、該接続部２が幅方向に移動することを規制している。そして、図１０に示されるように、基台１３の底板部１３ａにおいて、その長手方向の両端部には、各係合突条１７が、幅方向に沿って突設されている。一方側（直状部保護カバーＳの側）の係合突条１７は、直状部保護カバーＳの基台６の底板部６ａの端面を当接させるストッパとしての機能を有していて、他方側（わん曲部保護カバーＣ1 の側）の係合突条１７は、わん曲部保護カバーＣ1 の係合溝５に係合されて、該保護カバーＣ1 が長手方向（接続方向）に移動することを防止するという機能を有している。また、各係合突条１７の外側で、平面視における幅方向のほぼ中央部には、その長手方向に沿って一対の舌片状の凸体１８が延設されている。前述したように、一対の凸体１８の厚みは、わん曲部保護カバーＣ1 の蓋体嵌着部３に設けられた凹部３ａと直状部保護カバーＳの基台６の底板部６ａの底面部に設けられた凹溝９の深さに対応していて、各凸体１８は、前記凹部３ａ及び前記凹溝９に収容される。その結果、図５に示されるように、付属カバーＦの基台１３は、わん曲部保護カバーＣ1 及び直状部保護カバーＳと、壁面Ｗとの間で挟持されて取付けられる。
【００１６】
次に、付属カバーＦの蓋体１４について説明する。図７及び図９に示されるように、この蓋体１４は断面略逆Ｕ字状である。該蓋体１４を構成する一対の側板部１４ａの開口部の内周面側に、一対の係合凸部１９が相対向して設けられている。該蓋体１４が付属カバーＦの基台１３に嵌着される際に、前記一対の係合凸部１９が前記基台１３の係合凹部１６ａに係合される。このため、前記蓋体１４は、前記基台１３に対して抜け止め状態で嵌着される。なお、図７において、２１は、蓋体１４の内周面に取付けられた断熱材である。
【００１７】
次に、第１実施例のわん曲部保護カバーＣ1 を使用して、壁面Ｗの段差部Ｄを有する部分（わん曲配管部）に、給水管Ｐ（可撓管）を配管する場合の作用について説明する。図９に示されるように、壁面Ｗの接続箇所Ｒ1 に、付属カバーＦの基台１３を仮固定する。その基台１３の一方側の係合突条１７に、直状部保護カバーＳの基台６の底板部６ａの端面を当接させると共に、付属カバーＦの基台１３の一方側の凸体１８を、直状部保護カバーＳの基台６の凹溝９に収容させる。このようにして、直状部保護カバーＳの基台６が、付属カバーＦの基台１３に対して位置決めされた状態で、壁面Ｗに取付けられる。
【００１８】
そして、図９に示されるように、わん曲部保護カバーＣ1 に給水管Ｐを挿通させた状態で、その接続部２を付属カバーＦの基台１３に当てがう。このとき、接続部２の下方突出部４ａに設けられた係合溝５を、付属カバーＦの基台１３の他方側の係合突条１７に係合させると共に、他方側の凸体１８を、蓋体嵌着部３に設けられた凹部３ａに収容させる。給水管Ｐの直状部は、基台６に設けられた一対の壁板部８どうしの間に装着され、該基台６に蓋体７が嵌着されることによって保護される。続いて、付属カバーＦの蓋体１４を基台１３に嵌着させる。図７に示されるように、付属カバーＦの蓋体１４の下端部に設けられた一対の係合凸部１９が、その基台１３の係合凹部１６ａに係合されるため、前記蓋体１４は前記基台１３に対して抜け止め状態で嵌着される。このとき、前記蓋体１４は、図５に示されるように、直状部保護カバーＳの蓋体７の端部及びわん曲部保護カバーＣ1 の蓋体嵌着部３にも嵌着される。この状態で、わん曲部保護カバーＣ1 の接続部２の係合溝５が、付属カバーＦの基台１３の係合突条１７に係合されているため、該保護カバーＣ1 が長手方向に移動することが規制されている。
【００１９】
図１１に示されるように、給水管Ｐをわん曲させる。それに伴って、わん曲部保護カバーＣ1 の蛇腹部１が変形し、該保護カバーＣ1 の接続部２が引っ張られたり、圧縮されたりする。しかし、わん曲部保護カバーＣ1 の接続部２の係合溝５が、付属カバーＦの基台１３に設けられた係合突条１７に係合されていて、前記接続部２が長手方向（接続方向）に移動することが規制されている。しかも、前記接続部２における当接部４の内周面４ｂが、給水管Ｐの外周面に当接しているため、該接続部２が給水管Ｐの半径方向に移動することが規制されている。即ち、わん曲部保護カバーＣ1 の接続部２は、給水管Ｐに保持されることによって、変形することが規制されているため、蛇腹部１が変形しても接続部２はほとんど変形せず、前記係合溝５と前記係合突条１７との係合が解除されることが防止される。上記した結果、わん曲部保護カバーＣ1 の接続部２が、付属カバーＦから抜け外れることはない。
【００２０】
そして、接続箇所Ｒ2 において、上記とまったく同様な操作を行って、わん曲部保護カバーＣ1 と直状部保護カバーＳとを接続させる。
【００２１】
第１実施例のわん曲部保護カバーＣ1 の場合、接続部２の当接部４の内周面４ｂが、給水管Ｐの外周面に対して連続的に当接される場合である。しかし、前記当接部４の内周面４ｂが、給水管Ｐの外周面に対して部分的に当接された構成であっても構わない。
【００２２】
次に、第２実施例のわん曲部保護カバーＣ2 について説明する。この実施例のわん曲部保護カバーＣ2 は、エアコン用冷媒管Ｐ’が内部に収容される場合である。図１２及び図１３に示されるように、第２実施例のわん曲部保護カバーＣ2 における接続部２６は、並列に配置された２本のエアコン用冷媒管Ｐ’の各外周面を当接させて収容させる断面略長円形の当接部２７と、その下方に一体に設けられた下方突出部２７ａとから構成されている。前記下方突出部２７ａには、ドレン管Ｐ”が収容されている。また、前記下方突出部２７ａの底面部には、付属カバーＦの基台１３の係合突条１７と係合される係合溝２８が、わん曲部保護カバーＣ2 の幅方向に沿って設けられている。
【００２３】
この実施例のわん曲部保護カバーＣ2 の内部に収容された２本のエアコン用冷媒管Ｐ’は、それらの外周面が接続部２６の当接部２７の内周面２７ｂに当接される。しかも、接続部２６の下方突出部２７ａの係合溝２８が付属カバーＦの基台１３の係合突条１７に係合されるため、第１実施例のわん曲部保護カバーＣ1 と同一の効果が奏される。
【００２４】
次に、別の実施例について説明する。図１４に示される第３実施例のわん曲部保護カバーＣ3 は、第１実施例のわん曲部保護カバーＣ1 と同様に、接続部２９の当接部３１の下方に下方突出部３１ａが一体成形されていて、前記当接部３１の内周面３１ｂのほぼ全域が、２本のエアコン用冷媒管Ｐ’の外周面に当接している場合である。この実施例の場合、当接部３１の内周面３１ｂと、各エアコン用冷媒管Ｐ’の外周面とが当接している部分の領域が大きいため、接続部２９の変形がより少なくて済む。また、図１５に示される第４実施例のわん曲部保護カバーＣ4 のように、接続部３２の当接部３３の上方にドレン管収容部３３ａが一体成形されている形態であっても構わない。
【００２５】
本発明に係るわん曲部保護カバーは、上記した給水管、エアコン用冷媒管に限られず、ガス管、ケーブル等の保護にも使用される。
【００２６】
【発明の効果】
本発明に係る配管材のわん曲部保護カバーによれば、蛇腹部の変形力が接続部に及んで、該接続部が配管材の半径方向に変形しようとしても、前記接続部は、蛇腹部の変形に追随して変形しないように、接続部に設けられた当接部の内面に配管材の外面が当接されているために、前記係合部と前記被係合部との係合が解除されることはない。この結果、施工中、或いは施工後にわん曲部保護カバーに何らかの外力が作用しても、その接続部が他の保護カバーの接続口から抜け外れることがなく、わん曲配管部における配管材が露出することが防止される。
【００２７】
また、接続部を構成する当接部の側面形状（横断面形状）のみによって、当接部の内面に配管材の外面が当接するために、接続部の構造が簡単となる。更に、前記接続部に、他の保護カバーの蓋体が嵌着される蓋体嵌着部が設けられている場合、該蓋体によっても接続部の移動が規制されるため、わん曲部保護カバーの接続部は、より一層抜け外れにくくなる。
【図面の簡単な説明】
【図１】  本発明の第１実施例のわん曲部保護カバーＣ1 が、段差部Ｄを有する壁面Ｗに取付けられた状態の斜視図である。
【図２】  同様の状態の平面図である。
【図３】  わん曲部保護カバーＣ1 の正面図である。
【図４】  同じく側面図である。
【図５】  接続箇所Ｒ1 の正面断面図である。
【図６】  図５のＸ1 −Ｘ1 線断面図である。
【図７】  同じくＸ2 −Ｘ2 線断面図である。
【図８】  同じくＸ3 −Ｘ3 線断面図である。
【図９】  内部に給水管Ｐを収容したわん曲部保護カバーＣ1 が、付属カバーＦの基台１３に当てがわれる状態の作用説明図である。
【図１０】  図９の斜視図である。
【図１１】  付属カバーＦの蓋体１４を嵌着する状態の斜視図である。
【図１２】  本発明の第２実施例のわん曲部保護カバーＣ2 の側面図である。
【図１３】  第２実施例のわん曲部保護カバーＣ2 の底面側からの斜視図である。
【図１４】  本発明の第３実施例のわん曲部保護カバーＣ3 の側面図である。
【図１５】  本発明の第４実施例のわん曲部保護カバーＣ4 の側面図である。
【図１６】  従来のわん曲部保護カバーＣ’と直状部保護カバーＳの接続部の正面断面図である。
【図１７】  図１６のＹ−Ｙ線断面図である。
【符号の説明】
Ｃ1 〜Ｃ4 ：わん曲部保護カバー
Ｄ：段差部（わん曲配管部）
Ｆ：付属カバー（他の保護カバー）
Ｐ：給水管（配管材）
Ｐ’：冷媒管（配管材）
Ｐ”：ドレン管（配管材）
１：蛇腹部
2,26,29,32：接続部
３：蓋体嵌着部
4,27,31,33：当接部
4b,27b,31b：内周面
５，２８：係合溝（係合部）
１７：係合突条（被係合部）
【図１】
0003705967.tif 000002
【図２】
0003705967.tif 000003
【図３】
0003705967.tif 000004
【図４】
0003705967.tif 000005
【図５】
0003705967.tif 000006
【図６】
0003705967.tif 000007
【図７】
0003705967.tif 000008
【図８】
0003705967.tif 000009
【図９】
0003705967.tif 000010
【図１０】
0003705967.tif 000011
【図１１】
0003705967.tif 000012
【図１２】
0003705967.tif 000013
【図１３】
0003705967.tif 000014
【図１４】
0003705967.tif 000015
【図１５】
0003705967.tif 000016
【図１６】
0003705967.tif 000017
【図１７】
0003705967.tif 000018